【手続補正書】
【提出日】平成27年1月8日(2015.1.8)
【手続補正１】
【補正対象書類名】特許請求の範囲
【補正対象項目名】全文
【補正方法】変更
【補正の内容】
【特許請求の範囲】
【請求項１】
表示手段に対するタッチ操作を検知するタッチ検知手段と、
オートブラケット撮影における基準値を表す指標と、オートブラケット撮影におけるブラケット値とを表す指標とを表示するように制御する表示制御手段と、
前記タッチ検知手段が、前記表示手段における、前記ブラケット値の設定を行うための設定領域に対して、タッチしたまま第１の方向に移動するタッチ操作を検知すると、前記基準値と設定される前記ブラケット値との幅を広げるように制御し、前記設定領域に対してタッチしたまま前記第１の方向と逆方向である第２の方向に移動するタッチ操作を検知すると、前記幅を狭めるように制御する制御手段と、
前記幅に基づいて前記ブラケット値を設定するブラケット値設定手段と、
を有することを特徴とする撮像装置。
【請求項２】
前記制御手段は、前記タッチ検知手段で検知された前記設定領域に対するタッチしたまま移動するタッチ操作の、タッチ開始位置に関わらず、移動方向と移動距離に基づいて前記幅を変更するように制御することを特徴とする請求項１に記載の撮像装置。
【請求項３】
前記タッチ操作は、前記表示手段に対する１点のタッチによるタッチ操作であることを特徴とする請求項２に記載の撮像装置。
【請求項４】
前記表示制御手段は、前記幅が０であり、かつ前記タッチ検知手段がタッチ操作を検知していない場合には前記設定領域には前記基準値を表す指標及び前記ブラケット値を表す指標を表示せず、前記幅が０であっても前記タッチ検知手段が前記設定領域へのタッチを検知した場合には、前記設定領域に、前記基準値を示す指標を表示するように制御することを特徴とする請求項１乃至３のいずれか１項に記載の撮像装置。
【請求項５】
前記表示制御手段は、前記タッチ検知手段で検知された前記設定領域に対するタッチしたまま移動するタッチ操作に応じて前記ブラケット値を表す指標を移動するように制御することを特徴とする請求項１乃至４のいずれか１項に記載の撮像装置。
【請求項６】
前記表示制御手段は、前記タッチ検知手段で検知された前記設定領域に対するタッチしたまま移動するタッチ操作に応じて、前記ブラケット値を表す指標を、前記タッチ操作の移動量より少ない距離を移動させることを特徴とする請求項１乃至５のいずれか１項に記載の撮像装置。
【請求項７】
露出補正値を設定する露出補正設定手段を更に有し、
前記基準値は前記露出補正設定手段で設定された露出補正値であることを特徴とする請求項１乃至６のいずれか１項に記載の撮像装置。
【請求項８】
前記表示制御手段は、前記表示手段の同一画面内に、
（ａ）目盛りと、
（ｂ）前記露出補正設定手段で設定可能な値の範囲を示し、前記目盛りと対応付けて配列される第１の指標群と、
（ｃ）前記ブラケット値設定手段で設定可能な値の範囲を示し、前記目盛り及び前記第１の指標と対応付けて配列される第２の指標群と、
を表示するように制御し、
前記第２の指標群は前記設定領域内に表示されることを特徴とする請求項７に記載の撮像装置。
【請求項９】
前記露出補正設定手段は、前記第１の指標群の表示された領域に対するタッチ操作のタッチ位置に基づいて露出補正値を設定することを特徴とする請求項８に記載の撮像装置。
【請求項１０】
前記表示制御手段は、前記設定領域が表示された画面の前記設定領域とは異なる位置に、前記幅を広げる指示を受け付けるための第１のタッチボタンと、前記幅を狭める指示を受け付けるための第２のタッチボタンとを表示するように制御し、
前記制御手段は、前記タッチ検知手段で前記第１のタッチボタンに対するタッチ操作を検知したことに応じて、当該タッチ操作の回数及び／または当該タッチ操作のタッチ継続時間に基づいて前記幅を広げ、前記タッチ検知手段で前記第２のタッチボタンに対するタッチ操作を検知したことに応じて、当該タッチ操作の回数及び／または当該タッチ操作のタッチ継続時間に基づいて前記幅を狭めるように制御することを特徴とする請求項１乃至９のいずれか１項に記載の撮像装置。
【請求項１１】
特定の撮影設定を前記基準値に基づいた設定として得られる画像と、前記特定の撮影設定を前記ブラケット値設定手段で設定されたブラケット値に基づいた設定として得られる画像とを取得するオートブラケット撮影を行うように制御する撮影制御手段を更に有することを特徴とする請求項１乃至１０のいずれか１項に記載の撮像装置。
【請求項１２】
前記オートブラケット撮影は、露出、ストロボ、シャッター速度、絞り値、ホワイトバランス、ＩＳＯ感度、フォーカスの少なくとも１つに関するオートブラケット撮影であることを特徴とする請求項１乃至１１のいずれか１項に記載の撮像装置。
【請求項１３】
表示手段に対するタッチ操作を検知するタッチ検知ステップと、
オートブラケット撮影における基準値を表す指標と、オートブラケット撮影におけるブラケット値とを表す指標とを表示するように制御する表示制御ステップと、
前記タッチ検知ステップが、前記表示手段における、前記ブラケット値の設定を行うための設定領域に対して、タッチしたまま第１の方向に移動するタッチ操作を検知すると、前記基準値と設定される前記ブラケット値との幅を広げるように制御し、前記設定領域に対してタッチしたまま前記第１の方向と逆方向である第２の方向に移動するタッチ操作を検知すると、前記幅を狭めるように制御する制御ステップと、
前記幅に基づいて前記ブラケット値を設定するブラケット値設定ステップと、
を有することを特徴とする撮像装置の制御方法。
【請求項１４】
コンピュータを、請求項１乃至１２のいずれか１項に記載された撮像装置の各手段として機能させることを特徴とするプログラム。
【請求項１５】
コンピュータを、請求項１乃至１２のいずれか１項に記載された撮像装置の各手段として機能させるためのプログラムを格納したことを特徴とするコンピュータが読み取り可能な記憶媒体。
【手続補正２】
【補正対象書類名】明細書
【補正対象項目名】０００４
【補正方法】変更
【補正の内容】
【０００４】
しかしながら、上述の特許文献に開示された従来技術では、オートブラケット値を、タッチパネルを用いて操作性よく設定する方法についての検討は十分ではなかった。
そこで本発明では、オートブラケット値を、タッチパネルを用いて操作性よく設定できる撮像装置を提供することを目的とする。
【手続補正３】
【補正対象書類名】明細書
【補正対象項目名】０００５
【補正方法】変更
【補正の内容】
【０００５】
前記課題を解決するため、本発明は、表示手段に対するタッチ操作を検知するタッチ検知手段と、オートブラケット撮影における基準値を表す指標と、オートブラケット撮影におけるブラケット値とを表す指標とを表示するように制御する表示制御手段と、前記タッチ検知手段が、前記表示手段における、前記ブラケット値の設定を行うための設定領域に対して、タッチしたまま第１の方向に移動するタッチ操作を検知すると、前記基準値と設定される前記ブラケット値との幅を広げるように制御し、前記設定領域に対してタッチしたまま前記第１の方向と逆方向である第２の方向に移動するタッチ操作を検知すると、前記幅を狭めるように制御する制御手段と、前記幅に基づいて前記ブラケット値を設定するブラケット値設定手段とを有することを特徴とする。
【手続補正４】
【補正対象書類名】明細書
【補正対象項目名】０００６
【補正方法】変更
【補正の内容】
【０００６】
本発明によれば、オートブラケット値を、タッチパネルを用いて操作性よく設定できる。